(57)【要約】【課題】簡単な構成で流路切換を行う際に主弁体のシール面に近い位置を押すことができ、スティックスリップ現象の発生を抑えることができ、もって、異音の発生や主弁体のシール面の摩耗を抑えることのできる流路切換弁を提供する。【解決手段】第１及び第２ピストン２１、２２の往復移動に伴って主弁室１２内で主弁体１５を移動させるための連結体２５が、第１及び第２主弁座１３、１４の弁シート面に平行に配置された平板部２５ａを有する一枚の板材からなるとともに、その平板部２５ａは、主弁体１５を嵌合させて支持するとともに、主弁体１５を構成する一対の第１及び第２スライド弁体１５Ａ、１５Ｂにおいて第１及び第２主弁座１３、１４の弁シート面に摺動する環状シール面側に向けて延在する押圧板部（平板部２５ａに一体成形された中央部押圧板部２５ｅＡ、端部押圧板部２５ｅＢ）を介して、主弁体１５を第１及び第２ピストン２１、２２の往復移動に伴って押動するようにされている。【選択図】図１
2020101256.tif 000002
【特許請求の範囲】
【請求項１】
ピストン及び主弁室が配在された筒状の主弁ハウジング、複数のポートが開口せしめられた弁シート面を持つ主弁座、前記主弁室内に軸線方向に移動可能に配在されるとともに、前記弁シート面に摺動自在に対接せしめられたスライド式の主弁体、及び前記ピストンの往復移動に伴って前記主弁体を移動させるための連結体を備え、前記主弁室内で前記連結体を介して前記主弁体を移動させることにより、連通するポート間が切り換えられるようにされた流路切換弁であって、
前記主弁ハウジングの軸線に対して反対側にそれぞれ複数のポートが開口せしめられるとともに、前記主弁体は、前記複数のポート間を選択的に連通させるＵターン通路がそれぞれに設けられた一対のスライド弁体が前記主弁座の弁シート面に垂直な方向で背面合わせの状態で配在されて構成されており、
前記連結体は、前記主弁座の弁シート面に平行に配置された平板部を有する一枚の板材からなり、前記平板部は、前記主弁体を嵌合させて支持するとともに、前記主弁体の前記一対のスライド弁体の少なくとも一方において前記主弁座の弁シート面に摺動するシール面側に向けて延在する押圧板部を介して、前記主弁体を前記ピストンの往復移動に伴って押動するようにされていることを特徴とする流路切換弁。
【請求項２】
前記平板部は、前記筒状の主弁ハウジングの軸線上に配置されていることを特徴とする請求項１に記載の流路切換弁。
【請求項３】
前記平板部に、前記一対のスライド弁体の各々が前記主弁座の弁シート面に垂直な方向に摺動自在に嵌合せしめられるとともに、前記一対のスライド弁体の各々を前記ピストンの往復移動に伴って軸線方向に一体的に移動自在に押動するための開口が形成されていることを特徴とする請求項１又は２に記載の流路切換弁。
【請求項４】
前記押圧板部は、前記平板部に連設されていることを特徴とする請求項１又は２に記載の流路切換弁。
【請求項５】
前記押圧板部は、前記平板部に形成された前記開口の端縁部に連設されていることを特徴とする請求項３に記載の流路切換弁。
【請求項６】
前記押圧板部は、前記平板部から前記一対のスライド弁体の一方のシール面側に向けて延在する一方側押圧板部と、前記平板部から前記一対のスライド弁体の他方のシール面側に向けて延在する他方側押圧板部とを有することを特徴とする請求項４又は５に記載の流路切換弁。
【請求項７】
前記押圧板部は、前記平板部から垂直な方向に折り曲げられて形成されていることを特徴とする請求項４から６のいずれか一項に記載の流路切換弁。
【請求項８】
前記押圧板部は、前記筒状の主弁ハウジングの軸線に垂直な方向に形成されていることを特徴とする請求項４から７のいずれか一項に記載の流路切換弁。
【請求項９】
前記押圧板部は、前記主弁体の外周面に沿うように形成されていることを特徴とする請求項４から８のいずれか一項に記載の流路切換弁。
【請求項１０】
前記押圧板部は、前記主弁体の外周面に固定されていることを特徴とする請求項１から３のいずれか一項に記載の流路切換弁。
【請求項１１】
前記押圧板部は、前記主弁体の外周面に固定された平板で構成されていることを特徴とする請求項１０に記載の流路切換弁。
【請求項１２】
前記押圧板部は、前記主弁体の前記一対のスライド弁体の一方に固定されていることを特徴とする請求項１０又は１１に記載の流路切換弁。
【請求項１３】
前記押圧板部は、前記主弁体の前記一対のスライド弁体の両方に当接せしめられることを特徴とする請求項１０から１２のいずれか一項に記載の流路切換弁。
【請求項１４】
前記押圧板部は、前記主弁体の前記一対のスライド弁体の一方のみに当接せしめられることを特徴とする請求項１０から１２のいずれか一項に記載の流路切換弁。
【請求項１５】
前記押圧板部は、前記筒状の主弁ハウジングの軸線に垂直な方向に沿って固定されていることを特徴とする請求項１０から１４のいずれか一項に記載の流路切換弁。
【請求項１６】
前記押圧板部は、前記主弁体の外周面に沿って固定されていることを特徴とする請求項１０から１５のいずれか一項に記載の流路切換弁。
【請求項１７】
前記押圧板部は、前記主弁体の外周面に設けられた窪み面に嵌め込まれていることを特徴とする請求項１から１６のいずれか一項に記載の流路切換弁。
【請求項１８】
前記押圧板部は、前記主弁体より剛性の高い材料で構成されていることを特徴とする請求項１から１７のいずれか一項に記載の流路切換弁。
【請求項１９】
前記連結体は、前記主弁座の弁シート面に垂直な回転軸線周りで回転対称となるように形成されていることを特徴とする請求項１から１８のいずれか一項に記載の流路切換弁。
【発明の詳細な説明】
【技術分野】
【０００１】
本発明は、弁体を移動させることにより流路の切り換えを行う流路切換弁に係り、例えば、ヒートポンプ式冷暖房システム等において流路切換を行うのに好適な流路切換弁に関する。
【背景技術】
【０００２】
一般に、ルームエアコン、カーエアコン等のヒートポンプ式冷暖房システムは、圧縮機、室外熱交換器、室内熱交換器、及び膨張弁等に加えて、流路（流れ方向）切換手段としての流路切換弁（四方切換弁や六方切換弁）を備え、運転モード（冷房運転と暖房運転）の切り換えを当該流路切換弁で行うようになっている。
【０００３】
前記した如くのヒートポンプ式冷暖房システム等に組み込まれる流路切換弁として、例えば特許文献１に所載の如くの、スライド式のものが知られている。このスライド式の流路切換弁（六方切換弁）は、スライド式主弁体を内蔵する弁本体（主弁ハウジング）と電磁式のパイロット弁（四方パイロット弁）とを有し、主弁ハウジングに、複数のポート（６個のポートｐＡ〜ｐＦ）が設けられるとともに、スライド式主弁体が左右方向に摺動可能に配在されている。主弁ハウジングにおけるスライド式主弁体の左右には、パイロット弁を介して圧縮機吐出側及び圧縮機吸入側に接続される、それぞれスライド式主弁体に結合された左右一対のピストン型パッキンにより画成される二つの作動室が設けられ、この二つの作動室への高圧流体（冷媒）の導入・排出を前記パイロット弁で選択的に行い、この二つの作動室の圧力差を利用して前記スライド式主弁体を左右方向に摺動させることで前記流路切換を行うようにされている。
【０００４】
より詳しくは、前記二つの作動室を画成する左右のピストンは、連結体により一体移動可能に連結され、その連結体に形成された開口にスライド式主弁体が嵌合ないし固定されていて、スライド式主弁体は、前記二つの作動室への高圧流体（冷媒）の導入・排出によるピストンの往復移動に伴って前記連結体により複数のポート（５個のポートｐＢ〜ｐＦ）が設けられた主弁座（の弁シート面）上を摺動せしめられる。スライド式主弁体には、前記複数のポートのうち隣り合う２個のポートを選択的に連通させる大きさの内腔（連通路）が形成されており、前記スライド式主弁体の移動によって前記複数のポートが前記内腔を介して選択的に連通せしめられることにより、前記流路切換を行うようにされている。
【０００５】
また、特許文献２には、前記特許文献１に所載のスライド式の流路切換弁（六方切換弁）において、弁漏れや圧力損失を抑えるとともにシステム効率を向上させるために、ポートが設けられた主弁座やスライド式主弁体の配置・構成を改変したものが既に提案されている。
【先行技術文献】
【特許文献】
【０００６】
【特許文献１】特開平８−１７０８６４号公報
【特許文献２】特開２０１８−４４６６６号公報
【発明の概要】
【発明が解決しようとする課題】
【０００７】
ところで、前記した如くの従来の流路切換弁において、前記流路切換を行う際は、連結体でスライド式主弁体の所定位置を押して当該スライド式主弁体を移動させる必要があるが、その押圧部分の所定位置がスライド式主弁体のシール面（主弁座の弁シート面との摺動面）から離れすぎると、スティックスリップ現象が起こりやすくなり、異音が発生するとともに、スライド式主弁体のシール面が摩耗しやすくなる。そのため、前記した押圧部分の所定位置は、スライド式主弁体のシール面にできるだけ近づける必要がある。
【０００８】
しかしながら、前記した如くの従来の流路切換弁においては、ピストンとスライド式主弁体とを連結する連結体が、基本的に主弁ハウジングの中心線（軸線）上で主弁座の弁シート面に対向配置（言い換えれば、弁シート面に平行に配置）された一枚の板材で作製されている。そのため、前記連結体でスライド式主弁体のシール面に近い位置を押すためには、スライド式主弁体、主弁ハウジング、主弁座等の各構成部品の寸法形状を適正に設計し直す必要がある。特に、特許文献２に所載の流路切換弁においては、スライド式主弁体を構成する一対のスライド弁体が主弁座の弁シート面に垂直な方向で背面合わせの状態で配在されており、それぞれのスライド弁体に、隣り合う２個のポートを選択的に連通させるＵターン通路（連通路）が形成されているため、前記連結体でスライド式主弁体を構成する各スライド弁体のシール面に近い位置を押すことは難しい。
【０００９】
本発明は、上記事情に鑑みてなされたもので、その目的とするところは、簡単な構成で流路切換を行う際に主弁体のシール面に近い位置を押すことができ、スティックスリップ現象の発生を抑えることができ、もって、異音の発生や主弁体のシール面の摩耗を抑えることのできる流路切換弁を提供することにある。
【課題を解決するための手段】
【００１０】
前記の目的を達成すべく、本発明に係る流路切換弁は、基本的には、ピストン及び主弁室が配在された筒状の主弁ハウジング、複数のポートが開口せしめられた弁シート面を持つ主弁座、前記主弁室内に軸線方向に移動可能に配在されるとともに、前記弁シート面に摺動自在に対接せしめられたスライド式の主弁体、及び前記ピストンの往復移動に伴って前記主弁体を移動させるための連結体を備え、前記主弁室内で前記連結体を介して前記主弁体を移動させることにより、連通するポート間が切り換えられるようにされ、前記主弁ハウジングの軸線に対して反対側にそれぞれ複数のポートが開口せしめられるとともに、前記主弁体は、前記複数のポート間を選択的に連通させるＵターン通路がそれぞれに設けられた一対のスライド弁体が前記主弁座の弁シート面に垂直な方向で背面合わせの状態で配在されて構成されており、前記連結体は、前記主弁座の弁シート面に平行に配置された平板部を有する一枚の板材からなり、前記平板部は、前記主弁体を嵌合させて支持するとともに、前記主弁体の前記一対のスライド弁体の少なくとも一方において前記主弁座の弁シート面に摺動するシール面側に向けて延在する押圧板部を介して、前記主弁体を前記ピストンの往復移動に伴って押動するようにされていることを特徴としている。
【００１１】
好ましい態様では、前記平板部は、前記筒状の主弁ハウジングの軸線上に配置される。
【００１２】
他の好ましい態様では、前記平板部に、前記一対のスライド弁体の各々が前記主弁座の弁シート面に垂直な方向に摺動自在に嵌合せしめられるとともに、前記一対のスライド弁体の各々を前記ピストンの往復移動に伴って軸線方向に一体的に移動自在に押動するための開口が形成される。
【００１３】
別の好ましい態様では、前記押圧板部は、前記平板部に連設される。
【００１４】
別の好ましい態様では、前記押圧板部は、前記平板部に形成された前記開口の端縁部に連設される。
【００１５】
更に好ましい態様では、前記押圧板部は、前記平板部から前記一対のスライド弁体の一方のシール面側に向けて延在する一方側押圧板部と、前記平板部から前記一対のスライド弁体の他方のシール面側に向けて延在する他方側押圧板部とを有する。
【００１６】
更に好ましい態様では、前記押圧板部は、前記平板部から垂直な方向に折り曲げられて形成される。
【００１７】
更に好ましい態様では、前記押圧板部は、前記筒状の主弁ハウジングの軸線に垂直な方向に形成される。
【００１８】
更に好ましい態様では、前記押圧板部は、前記主弁体の外周面に沿うように形成される。
【００１９】
別の好ましい態様では、前記押圧板部は、前記主弁体の外周面に固定される。
【００２０】
更に好ましい態様では、前記押圧板部は、前記主弁体の外周面に固定された平板で構成される。
【００２１】
更に好ましい態様では、前記押圧板部は、前記主弁体の前記一対のスライド弁体の一方に固定される。
【００２２】
更に好ましい態様では、前記押圧板部は、前記主弁体の前記一対のスライド弁体の両方に当接せしめられる。
【００２３】
更に好ましい態様では、前記押圧板部は、前記主弁体の前記一対のスライド弁体の一方のみに当接せしめられる。
【００２４】
更に好ましい態様では、前記押圧板部は、前記筒状の主弁ハウジングの軸線に垂直な方向に沿って固定される。
【００２５】
更に好ましい態様では、前記押圧板部は、前記主弁体の外周面に沿って固定される。
【００２６】
他の好ましい態様では、前記押圧板部は、前記主弁体の外周面に設けられた窪み面に嵌め込まれる。
【００２７】
他の好ましい態様では、前記押圧板部は、前記主弁体より剛性の高い材料で構成される。
【００２８】
他の好ましい態様では、前記連結体は、前記主弁座の弁シート面に垂直な回転軸線周りで回転対称となるように形成される。
【発明の効果】
【００２９】
本発明に係る流路切換弁では、ピストンの往復移動に伴って主弁室内で主弁体を移動させるための連結体は、主弁座の弁シート面に平行に配置された平板部を有する一枚の板材からなるとともに、その平板部は、主弁体を嵌合させて支持するとともに、主弁体を構成する一対のスライド弁体の少なくとも一方において主弁座の弁シート面に摺動するシール面側に向けて延在する押圧板部を介して、主弁体をピストンの往復移動に伴って押動するようにされている。そのため、例えば連結体が主弁ハウジングの中心線（軸線）上で主弁座の弁シート面に平行に配置された一枚の板材で作製されている従来の流路切換弁と比べて、連結体等に若干の改良を加えるだけの簡単な構成で流路切換を行う際に主弁体のシール面に近い位置を押すことができ、スティックスリップ現象の発生を抑えることができ、もって、異音の発生や主弁体のシール面の摩耗を効果的に抑えることができる。
【００３０】
上記した以外の、課題、構成、及び作用効果は、以下の実施形態により明らかにされる。
【図面の簡単な説明】
【００３１】
【図１】本発明に係る流路切換弁（六方切換弁）の第１実施形態の第１連通状態（冷房運転時）を示す縦断面図。
【図２】本発明に係る流路切換弁（六方切換弁）の第１実施形態の第２連通状態（暖房運転時）を示す縦断面図。
【図３】図１に示される六方切換弁の要部を拡大して示す要部拡大縦断面図。
【図４】図１のＵ−Ｕ矢視線に従う断面図。
【図５】本発明に係る流路切換弁（六方切換弁）の第１実施形態の主弁体及び連結体を示す斜視図。
【図６】本発明に係る流路切換弁（六方切換弁）の第１実施形態の連結体を示す図であり、（Ａ）は縦断面図、（Ｂ）は左側面図、（Ｃ）は上面図。
【図７】本発明に係る流路切換弁（六方切換弁）に使用される四方パイロット弁を拡大して示す図であり、（Ａ）は第１連通状態（冷房運転時）（通電ＯＦＦ時）、（Ｂ）は第２連通状態（暖房運転時）（通電ＯＮ時）をそれぞれ示す縦断面図。
【図８】本発明に係る流路切換弁（六方切換弁）の第２実施形態（の第１連通状態（冷房運転時））を示す縦断面図。
【図９】図８のＶ−Ｖ矢視線に従う断面図。
【図１０】本発明に係る流路切換弁（六方切換弁）の第２実施形態の主弁体及び連結体を示す斜視図。
【図１１】本発明に係る流路切換弁（六方切換弁）の第２実施形態の連結体を示す図であり、（Ａ）は縦断面図、（Ｂ）は左側面図、（Ｃ）は上面図。
【図１２】本発明に係る流路切換弁（六方切換弁）の第３実施形態（の第１連通状態（冷房運転時））を示す縦断面図。
【図１３】図１２のＸ−Ｘ矢視線に従う断面図。
【図１４】本発明に係る流路切換弁（六方切換弁）の第３実施形態の主弁体及び連結体を示す斜視図。
【図１５】本発明に係る流路切換弁（六方切換弁）の第３実施形態の連結体を示す図であり、（Ａ）は縦断面図、（Ｂ）は左側面図、（Ｃ）は上面図。
【発明を実施するための形態】
【００３２】
以下、本発明の実施形態を図面を参照しながら説明する。
【００３３】
＜第１実施形態＞
図１及び図２は、本発明に係る流路切換弁としての六方切換弁の第１実施形態を示す縦断面図であり、図１は、第１連通状態（冷房運転時）、図２は、第２連通状態（暖房運転時）を示す図である。
【００３４】
なお、本明細書において、上下、左右、前後等の位置、方向を表わす記述は、説明が煩瑣になるのを避けるために図面に従って便宜上付けたものであり、実際にヒートポンプ式冷暖房システム等に組み込まれた状態での位置、方向を指すとは限らない。
【００３５】
また、各図において、部材間に形成される隙間や部材間の離隔距離等は、発明の理解を容易にするため、また、作図上の便宜を図るため、各構成部材の寸法に比べて大きくあるいは小さく描かれている場合がある。
【００３６】
図示実施形態の六方切換弁１は、例えばヒートポンプ式冷暖房システムにおける六方切換弁として用いられるスライド式のもので、基本的に、シリンダ型の六方弁本体１０と、パイロット弁としての単一の電磁式四方パイロット弁９０とを備える。なお、本実施形態の六方切換弁１に備えられている６個のポートは、上記特許文献１、２に所載の六方切換弁の各ポートｐＡ〜ｐＦに対応させて同一の符号が付されている。当該六方切換弁１を含むヒートポンプ式冷暖房システムの基本構成については、上記特許文献１、２等を参照されたい。
【００３７】
［六方弁本体１０の構成］
六方弁本体１０は、真鍮あるいはステンレス等の金属製とされた筒状の主弁ハウジング１１を有し、この主弁ハウジング１１に、一端側（上端側）から順次、第１作動室３１、第１ピストン２１、主弁室１２、第２ピストン２２、及び第２作動室３２が配在されている。前記第１及び第２ピストン２１、２２にはいずれにも、主弁ハウジング１１を気密的に仕切るべく、主弁ハウジング１１の内周面にその外周部が圧接するばね付きパッキンが取り付けられている。
【００３８】
詳しくは、主弁ハウジング１１は、比較的大径の胴体部１１ｃを有し、この胴体部１１ｃの上端開口部に気密的に取り付けられた厚肉円板状の上側連結蓋１１ｄに設けられた中央穴に、（比較的小径の）パイプ部材からなる第１ピストン部１１ａがろう付け等により気密的に固着され、この第１ピストン部１１ａに前記第１ピストン２１が配在されている。同様に、胴体部１１ｃの下端開口部に気密的に取り付けられた厚肉円板状の下側連結蓋１１ｅに設けられた中央穴に、（比較的小径の）パイプ部材からなる第２ピストン部１１ｂがろう付け等により気密的に固着され、この第２ピストン部１１ｂに前記第２ピストン２２が配在されている。
【００３９】
主弁ハウジング１１（の第１ピストン部１１ａ）の上端には、容量可変の第１作動室３１を画成する第１ピストン２１の上方向への移動を阻止するストッパを兼ねる厚肉円板状の上端側蓋部材１１Ａがろう付け等により気密的に固着され、主弁ハウジング１１（の第２ピストン部１１ｂ）の下端には、容量可変の第２作動室３２を画成する第２ピストン２２の下方向への移動を阻止するストッパを兼ねる厚肉円板状の下端側蓋部材１１Ｂがろう付け等により気密的に固着されている。上端側蓋部材１１Ａ及び下端側蓋部材１１Ｂには、第１作動室３１及び第２作動室３２に高圧流体（冷媒）を導入・排出するためのポートｐ１１、ｐ１２がそれぞれ取り付けられている。
【００４０】
前記主弁ハウジング１１（の主弁室１２）には、合計で６個のポートが設けられている。
【００４１】
詳しくは、前記主弁室１２の左部中央には、その表面（右面）が平坦な弁シート面とされた例えば金属製の第１主弁座（弁シート）１３がろう付け等により主弁ハウジング１１の胴体部１１ｃ（の内周）に気密的に固着され、その第１主弁座１３の弁シート面に、左方に向けて延びる管継手からなる３個のポート（上端側から順次、ポートｐＢ、ポートｐＡ、ポートｐＦ）が縦並びで（軸線Ｏ方向に並んで）略等間隔に開口せしめられている。
【００４２】
また、前記主弁室１２の右部中央（第１主弁座１３に対向する位置、言い換えれば、軸線Ｏに対して第１主弁座１３の反対側の位置）には、その表面（左面）が平坦な弁シート面とされた例えば金属製の第２主弁座（弁シート）１４がろう付け等により主弁ハウジング１１の胴体部１１ｃ（の内周）に気密的に固着され、その第２主弁座１４の弁シート面に、右方に向けて延びる管継手からなる３個のポート（上端側から順次、ポートｐＣ、ポートｐＤ、ポートｐＥ）が縦並びで（軸線Ｏ方向に並んで）略等間隔に開口せしめられている。
【００４３】
第１主弁座１３に設けられた各ポート（ポートｐＢ、ポートｐＡ、ポートｐＦ）と第２主弁座１４に設けられた各ポート（ポートｐＣ、ポートｐＤ、ポートｐＥ）とは、対向する位置（軸線Ｏに対して反対側）に設定されるとともに、本例では、第１主弁座１３及び第２主弁座１４に設けられた各ポートｐＡ〜ｐＦの口径は略同径に設定されている。
【００４４】
前記主弁室１２内、具体的には、主弁ハウジング１１の胴体部１１ｃ内には、両側面（左面及び右面）が前記第１主弁座１３及び第２主弁座１４の弁シート面にそれぞれ摺動自在に対接せしめられる、レーストラック形の環状シール面を持つ断面矩形状のスライド式の主弁体１５が軸線Ｏ方向（上下方向）に移動可能に配在されている。本例では、主弁体１５の左右方向の寸法は、前記主弁ハウジング１１の第１ピストン部１１ａ及び第２ピストン部１１ｂの外径より若干大きくされている。
【００４５】
前記主弁体１５は、例えば合成樹脂製とされ、第１主弁座１３側（左側）の第１スライド弁体１５Ａと、第２主弁座１４側（右側）の第２スライド弁体１５Ｂとが、背面合わせの状態で配在されて構成されている。
【００４６】
第１スライド弁体１５Ａの左面側（第２スライド弁体１５Ｂ側とは反対側）には、第１主弁座１３の弁シート面に開口する３個のポートのうちの隣り合う２個のポート（ポートｐＢとポートｐＡ、あるいは、ポートｐＡとポートｐＦ）を選択的に連通させ得るような大きさの椀状窪みからなる第１Ｕターン通路（連通路）１６Ａが開設されている。また、第２スライド弁体１５Ｂの右面側（第１スライド弁体１５Ａ側とは反対側）には、第２主弁座１４の弁シート面に開口する３個のポートのうちの隣り合う２個のポート（ポートｐＣとポートｐＤ、あるいは、ポートｐＤとポートｐＥ）を選択的に連通させ得るような大きさの椀状窪みからなる第２Ｕターン通路（連通路）１６Ｂが開設されている。
【００４７】
一方、第２スライド弁体１５Ｂの左面（第１スライド弁体１５Ａに対向する面）には、該第２スライド弁体１５Ｂの外形とほぼ同形の（つまり、角筒状の）筒状部１５ｂが（軸線（中心線）Ｏを越えて左向きに）延設され、第１スライド弁体１５Ａの右面（第２スライド弁体１５Ｂに対向する面）には、該第１スライド弁体１５Ａの外形（言い換えれば、第２スライド弁体１５Ｂの外形）より若干小さい短筒状の嵌合凸部１５ａが（右向きに）突設されている。前記嵌合凸部１５ａが前記筒状部１５ｂに（間に設けられた段差部分にＯリング１８を挟んで）摺動自在に内嵌されることにより、第１スライド弁体１５Ａと第２スライド弁体１５Ｂとは、左右方向（軸線Ｏに対して垂直な方向であって第１主弁座１３に設けられた各ポート（ポートｐＢ、ポートｐＡ、ポートｐＦ）と第２主弁座１４に設けられた各ポート（ポートｐＣ、ポートｐＤ、ポートｐＥ）とが対向する方向、つまり、第１主弁座１３及び第２主弁座１４の弁シート面に垂直な方向）に相互に若干の移動自在、かつ、上下方向（軸線Ｏ方向）に一体的に移動自在とされている。
【００４８】
なお、第１スライド弁体１５Ａの嵌合凸部１５ａと第２スライド弁体１５Ｂの筒状部１５ｂとの配置関係は逆でも良い。つまり、第１スライド弁体１５Ａに筒状部を設け、第２スライド弁体１５Ｂに嵌合凸部を設け、第１スライド弁体１５Ａの筒状部に第２スライド弁体１５Ｂの嵌合凸部を内嵌して、当該第１スライド弁体１５Ａと第２スライド弁体１５Ｂとを一体としても良い。
【００４９】
また、図示例では、第１スライド弁体１５Ａの右面（における嵌合凸部１５ａの内側の部分）と第２スライド弁体１５Ｂの左面（における嵌合凸部１５ａの内側の部分）との間に、若干の隙間が形成されるとともに、第１スライド弁体１５Ａ（における第１Ｕターン通路１６Ａの底部）に、第１Ｕターン通路１６Ａと前記隙間とを連通する横孔からなる連通孔１６ａが設けられており、前記嵌合凸部１５ａと前記筒状部１５ｂとの間に、シール部材としてのＯリング１８が介装されている。なお、Ｏリング１８に替えて、リップシール等のシール部材を用いてもよいことは勿論である。
【００５０】
そのため、前記隙間を含む前記Ｏリング１８より内側の部分は、ポート（吐出側高圧ポート）ｐＡから第１Ｕターン通路１６Ａ及び連通孔１６ａを介して高圧流体（冷媒）が導入される圧力室１７とされている。この圧力室１７と主弁室１２とは、その間に配在された前記Ｏリング１８によりシール（封止）されている。
【００５１】
ここでは、図１及び図２とともに図３を参照すればよく分かるように、左右方向（軸線Ｏに対して垂直な方向）で視て、第１スライド弁体１５Ａにおける圧力室１７側（右面側）の受圧面積Ｓｂは第１主弁座１３側（左面側）の受圧面積Ｓａより大きくされる。
【００５２】
より詳しくは、左右方向に対して垂直な平面に対する前記圧力室１７の投影面積であって、前記圧力室１７内に導入された高圧冷媒によって第１スライド弁体１５Ａ（の右面）が左方向の圧力を受ける面の投影面積（受圧面積Ｓｂ）が、左右方向に対して垂直な平面に対する前記第１主弁座１３側の環状シール面の投影面積であって、ポート（環状シール面の内側）を流れる高圧冷媒によって第１スライド弁体１５Ａ（の左面）が右方向の圧力を受ける面の投影面積（受圧面積Ｓａ）より大きくされている。
【００５３】
これにより、ポート（吐出側高圧ポート）ｐＡを介して第１Ｕターン通路１６Ａに高圧冷媒が導入され、該第１Ｕターン通路１６Ａに導入された高圧冷媒の一部が前記連通孔１６ａを介して圧力室１７に充填されたときに、圧力室１７（の高圧冷媒）から受ける圧力（より詳細には、圧力室１７（の高圧冷媒）から受ける圧力と第２Ｕターン通路１６Ｂを流れる冷媒（低圧冷媒）から受ける圧力との差圧）によって、第２スライド弁体１５Ｂの右面（の環状シール面）が第２主弁座１４の弁シート面に押し付けられるとともに、圧力室１７（の高圧冷媒）から受ける受圧荷重と第１Ｕターン通路１６Ａを流れる冷媒（高圧冷媒）から受ける受圧荷重との差によって、第１スライド弁体１５Ａの左面（の環状シール面）が第１主弁座１３の弁シート面に押し付けられるようになっている。
【００５４】
また、本例では、第１スライド弁体１５Ａの右面と第２スライド弁体１５Ｂの左面の各々（図示例では、圧力室１７に面する部分）に、複数のばね受け穴１９ａ、１９ｂが形成され、そのばね受け穴１９ａ、１９ｂに、第１スライド弁体１５Ａと第２スライド弁体１５Ｂとを相互に逆方向（引き離す方向）に付勢する圧縮コイルばね１９が縮装されている（図示例では、第１スライド弁体１５Ａの右面と第２スライド弁体１５Ｂの左面との間の上下２箇所に圧縮コイルばね１９が装填されている）。これによっても、第１スライド弁体１５Ａの左面（の環状シール面）は第１主弁座１３の弁シート面に圧接せしめられる（押し付けられる）とともに、第２スライド弁体１５Ｂの右面（の環状シール面）は第２主弁座１４の弁シート面に圧接せしめられる（押し付けられる）。
【００５５】
なお、本例では、低圧冷媒が流れる前記第２スライド弁体１５Ｂの第２Ｕターン通路１６Ｂの略中央に、形状保持のための補強ピン１５ｄが前後方向に向けて架設されている（図５も併せて参照）。
【００５６】
また、本例では、主弁体１５を構成する第１スライド弁体１５Ａ及び第２スライド弁体１５Ｂの上下面（外周面）に、後述する連結体２５の押圧板部（中央部押圧板部２５ｅＡ、端部押圧板部２５ｅＢ）が（左右方向に若干の隙間を持って）嵌め込まれる窪み面１５ｅＡ、１５ｅＢが形成されている。
【００５７】
前記主弁体１５は、前述のように、第１スライド弁体１５Ａと第２スライド弁体１５Ｂとが一体となって軸線Ｏ方向に移動せしめられ、図１に示される如くの、ポートｐＦを開きかつポートｐＢとポートｐＡとを第１スライド弁体１５Ａの第１Ｕターン通路１６Ａを介して連通させるとともに、ポートｐＥを開きかつポートｐＣとポートｐＤとを第２スライド弁体１５Ｂの第２Ｕターン通路１６Ｂを介して連通させる冷房位置（上端位置）と、図２に示される如くの、ポートｐＢを開きかつポートｐＡとポートｐＦとを第１スライド弁体１５Ａの第１Ｕターン通路１６Ａを介して連通させるとともに、ポートｐＣを開きかつポートｐＤとポートｐＥとを第２スライド弁体１５Ｂの第２Ｕターン通路１６Ｂを介して連通させる暖房位置（下端位置）とを選択的にとり得るようにされている。
【００５８】
主弁体１５の第１スライド弁体１５Ａは、移動時以外は３個のポートのうちの２個のポート（ポートｐＢとポートｐＡ、あるいは、ポートｐＡとポートｐＦ）の真上に位置し、主弁体１５の第２スライド弁体１５Ｂは、移動時以外は３個のポートのうちの２個のポート（ポートｐＣとポートｐＤ、あるいは、ポートｐＤとポートｐＥ）の真上に位置し、このときは、第１スライド弁体１５Ａと第２スライド弁体１５Ｂとの間に設けられた圧力室１７（に導入された高圧冷媒）からの圧力や圧縮コイルばね１９の付勢力によりそれぞれ左右に押圧されて第１主弁座１３及び第２主弁座１４の弁シート面に圧接せしめられている。
【００５９】
第１ピストン２１と第２ピストン２２とは、連結体２５により一体移動可能に連結されており、この連結体２５に、前記主弁体１５の第１スライド弁体１５Ａと第２スライド弁体１５Ｂとが左右方向に若干の摺動自在かつ上下方向及び前後方向での移動はほぼ阻止された状態で嵌合せしめられて支持されている。
【００６０】
前記連結体２５は、本例では、例えばプレス成形等で作製された縦長概略矩形状の一枚の板材で構成されており、基本的に主弁ハウジング１１の軸線Ｏ（中心線）上で左右方向に直交するように（言い換えれば、第１主弁座１３及び第２主弁座１４の弁シート面に平行となるように）配在されている。
【００６１】
より詳しくは、図１及び図２とともに図４〜図６を参照すればよく分かるように、前記連結体２５は、主弁ハウジング１１の軸線Ｏ上で第１主弁座１３及び第２主弁座１４の弁シート面に平行に配置された平板部２５ａを有し、前記主弁体１５を嵌合させて支持すべく、平板部２５ａの中央部に、前記主弁体１５の第１スライド弁体１５Ａと第２スライド弁体１５Ｂとが左右方向から摺動自在に嵌合せしめられる矩形開口２５ｄが形成されている。
【００６２】
また、本例では、前記平板部２５ａに形成された矩形開口２５ｄの上下の端縁部において、その（前後方向の）中央部分から左側（言い換えれば、第１スライド弁体１５Ａにおいて第１主弁座１３の弁シート面に摺動する環状シール面側）に向けて延在するように比較的幅広の（すなわち、前後方向の幅が広い矩形状の）中央部押圧板部２５ｅＡが（平板部２５ａと一体に）連設され、その（前後方向の）両端部から右側（言い換えれば、第２スライド弁体１５Ｂにおいて第２主弁座１４の弁シート面に摺動する環状シール面側）に向けて延在するように比較的幅狭の（すなわち、前後方向の幅が狭い矩形状の）一対の（上下で合計４個の）端部押圧板部２５ｅＢが（平板部２５ａと一体に）連設されている。
【００６３】
前記中央部押圧板部２５ｅＡ及び前記端部押圧板部２５ｅＢは、ここでは、前記一枚の板材を平板部２５ａから略垂直な方向に（９０°に）折り曲げる（換言すれば、切り起こす）ようにして形成されており、前記主弁体１５を構成する第１スライド弁体１５Ａ及び第２スライド弁体１５Ｂの上下面（外周面）に沿うように、かつ、主弁ハウジング１１の軸線Ｏに垂直となるように形成されている。
【００６４】
また、前記第１スライド弁体１５Ａ及び第２スライド弁体１５Ｂの上下面において、前記中央部押圧板部２５ｅＡは、第２スライド弁体１５Ｂの上下面に形成された窪み面１５ｅＢを越えて第１スライド弁体１５Ａの上下面に形成された窪み面１５ｅＡまで延在している。これにより、前記中央部押圧板部２５ｅＡの略左半部分は、第１スライド弁体１５Ａの窪み面１５ｅＡに当接（押圧）せしめられるようになっている。また、前記中央部押圧板部２５ｅＡの略右半部分と前記端部押圧板部２５ｅＢとは、第２スライド弁体１５Ｂの窪み面１５ｅＢに当接（押圧）せしめられるようになっている。
【００６５】
また、連結体２５における矩形開口２５ｄの上下、より詳しくは、主弁体１５が冷房位置（上端位置）をとるときに第１主弁座１３の下側のポートｐＦと第２主弁座１４の下側のポートｐＥの略真横に位置する部位に（ポートｐＦ、ｐＥと略同径の）円形開口２５ｃが形成されるとともに、主弁体１５が暖房位置（下端位置）をとるときに第１主弁座１３の上側のポートｐＢと第２主弁座１４の上側のポートｐＣの略真横に位置する部位に（ポートｐＢ、ｐＣと略同径の）円形開口２５ｃが形成されている。
【００６６】
また、連結体２５（の平板部２５ａ）の上下の端部には、前後で左右逆方向に向けて略垂直に（９０°に）折り曲げて形成された取付脚部２５ｂが設けられ、その各取付脚部２５ｂに、当該連結体２５を第１ピストン２１又は第２ピストン２２に連結するボルト３０を挿通するための挿通孔２９が貫設されている。なお、本実施形態の挿通孔２９は、その内周部に雌ねじが形成され、ボルト３０の雄ねじと螺合するように構成されている。
【００６７】
また、ここでは、前記連結体２５は、誤組みの発生を抑制するために、第１主弁座１３及び第２主弁座１４の弁シート面に垂直な回転軸線周りで回転対称となるように形成されている。
【００６８】
したがって、本例では、連結体２５に嵌合されて支持された主弁体１５の第１スライド弁体１５Ａと第２スライド弁体１５Ｂは、第１及び第２ピストン２１、２２の往復移動に伴って前記連結体２５の矩形開口２５ｄ（の上下の端縁部）に設けられた中央部押圧板部２５ｅＡ及び一対の端部押圧板部２５ｅＢに押動されて冷房位置（上端位置）と暖房位置（下端位置）との間を行き来するようにされている。本例では、前記した中央部押圧板部２５ｅＡ及び一対の端部押圧板部２５ｅＢによって、主弁体１５の第１スライド弁体１５Ａ、第２スライド弁体１５Ｂにおける環状シール面に近い位置（換言すれば、第１主弁座１３、第２主弁座１４の弁シート面寄りの部位）が押動されるようになっている。
【００６９】
［六方弁本体１０の動作］
次に、上記した如くの構成を有する六方弁本体１０の動作を説明する。
【００７０】
主弁ハウジング１１内に配在された主弁体１５が暖房位置（下端位置）（図２に示される如くの第２連通状態）にあるときにおいて、後述する四方パイロット弁９０を介して、第２作動室３２を吐出側高圧ポートであるポートｐＡに連通させるとともに、第１作動室３１を吸入側低圧ポートであるポートｐＤに連通させると、第２作動室３２に高圧の冷媒が導入されるとともに、第１作動室３１から高圧の冷媒が排出される。そのため、主弁室１２の他端側（下端側）の第２作動室３２の圧力が主弁室１２の一端側（上端側）の第１作動室３１の圧力より高くなり、図１に示される如くに、第１、第２ピストン２１、２２及び主弁体１５が上方に移動して第１ピストン２１が上端側蓋部材１１Ａに接当係止され、主弁体１５が冷房位置（上端位置）（図１に示される如くの第１連通状態）をとる。
【００７１】
これにより、ポートｐＡとポートｐＢとが（第１Ｕターン通路１６Ａを介して）連通せしめられ、ポートｐＣとポートｐＤとが（第２Ｕターン通路１６Ｂを介して）連通せしめられ、ポートｐＥとポートｐＦとが（主弁室１２を介して）連通せしめられるので、ヒートポンプ式冷暖房システムにおいて、冷房運転が行われる。
【００７２】
主弁体１５が冷房位置（上端位置）（図１に示される如くの第１連通状態）にあるときにおいて、後述する四方パイロット弁９０を介して、第１作動室３１を吐出側高圧ポートであるポートｐＡに連通させるとともに、第２作動室３２を吸入側低圧ポートであるポートｐＤに連通させると、第１作動室３１に高圧の冷媒が導入されるとともに、第２作動室３２から高圧の冷媒が排出される。そのため、主弁室１２の一端側（上端側）の第１作動室３１の圧力が主弁室１２の他端側（下端側）の第２作動室３２の圧力より高くなり、図２に示される如くに、第１、第２ピストン２１、２２及び主弁体１５が下方に移動して第２ピストン２２が下端側蓋部材１１Ｂに接当係止され、主弁体１５が暖房位置（下端位置）（図２に示される如くの第２連通状態）をとる。
【００７３】
これにより、ポートｐＡとポートｐＦとが（第１Ｕターン通路１６Ａを介して）連通せしめられ、ポートｐＥとポートｐＤとが（第２Ｕターン通路１６Ｂを介して）連通せしめられ、ポートｐＣとポートｐＢとが（主弁室１２を介して）連通せしめられるので、ヒートポンプ式冷暖房システムにおいて、暖房運転が行われる。
【００７４】
［四方パイロット弁９０の構成］
パイロット弁としての四方パイロット弁９０は、その構造自体はよく知られているもので、図７（Ａ）、（Ｂ）に拡大図示されている如くに、基端側（左端側）外周に電磁コイル９１が外嵌固定された円筒状のストレートパイプからなる弁ケース９２を有し、該弁ケース９２に、基端側から順次、吸引子９５、圧縮コイルばね９６、プランジャ９７が直列的に配在されている。
【００７５】
弁ケース９２の左端部は、吸引子９５の鍔状部（外周段丘部）に溶接等により密封接合されており、吸引子９５は、通電励磁用の電磁コイル９１の外周を覆うカバーケース９１Ａにボルト９２Ｂにより締結固定されている。
【００７６】
一方、弁ケース９２の右端開口部には、高圧冷媒を導入するための細管挿着口（高圧導入ポートａ）を有するフィルタ付き蓋部材９８が溶接、ろう付け、かしめ等により気密的に取着されており、蓋部材９８とプランジャ９７と弁ケース９２とで囲まれる領域が弁室９９となっている。弁室９９には、蓋部材９８の細管挿着口（高圧導入ポートａ）に気密的に挿着された高圧細管＃ａを介して前記ポート（吐出側高圧ポート）ｐＡから高圧の冷媒が導入されるようになっている。
【００７７】
また、弁ケース９２におけるプランジャ９７と蓋部材９８との間には、その内端面が平坦な弁シート面とされた弁座９３がろう付け等により気密的に接合されており、この弁座９３の弁シート面（内端面）には、先端側（右端側）から順次、前記した六方弁本体１０の第１作動室３１に細管＃ｂを介して接続されるポートｂ、ポート（吸入側低圧ポート）ｐＤに細管＃ｃを介して接続されるポートｃ、第２作動室３２に細管＃ｄを介して接続されるポートｄが弁ケース９２の長手方向（左右方向）に沿って所定間隔をあけて横並びに開口せしめられている。
【００７８】
吸引子９５に対向配置されたプランジャ９７は、基本的には円柱状とされ、弁ケース９２内を軸方向（弁ケース９２の中心線Ｌに沿う方向）に摺動自在に配在されている。そのプランジャ９７の吸引子９５側とは反対側の端部には、弁体９４をその自由端側で厚み方向に摺動可能に保持する弁体ホルダ９４Ａがその基端部を取付具９４Ｂと共に圧入、かしめ等により取付固定されている。この弁体ホルダ９４Ａには、弁体９４を弁座９３に押し付ける方向（厚み方向）に付勢する板ばね９４Ｃが取り付けられている。弁体９４は、弁座９３の弁シート面に開口するポートｂ、ｃ、ｄ間の連通状態を切り換えるべく、当該弁座９３の弁シート面に対接せしめられた状態で、弁座９３の弁シート面をプランジャ９７の左右方向の移動に伴って摺動するようになっている。
【００７９】
また、弁体９４には、弁座９３の弁シート面に開口する３個のポートｂ〜ｄのうちの隣り合うポートｂ−ｃ間、ｃ−ｄ間を選択的に連通させ得るような大きさの凹部９４ａが設けられている。
【００８０】
また、圧縮コイルばね９６は、吸引子９５とプランジャ９７との間に縮装されてプランジャ９７を吸引子９５から引き離す方向（図では、右方）に付勢するようになっているが、本例では、弁座９３（の左端部）が、プランジャ９７の右方への移動を阻止するストッパとされている。なお、このストッパの構成としては、その他の構成を採用し得ることは言うまでも無い。
【００８１】
なお、上記四方パイロット弁９０は、取付具９２Ａを介して六方弁本体１０の背面側等の適宜の箇所に取付けられる。
【００８２】
［四方パイロット弁９０の動作］
上記した如くの構成とされた四方パイロット弁９０においては、電磁コイル９１への通電ＯＦＦ時には、図１及び図７（Ａ）に示される如くに、プランジャ９７は圧縮コイルばね９６の付勢力により、その右端が弁座９３に接当する位置まで押し動かされている。この状態では、弁体９４がポートｂとポートｃ上に位置し、その凹部９４ａによりポートｂとポートｃが連通するとともに、ポートｄと弁室９９とが連通するので、ポート（吐出側高圧ポート）ｐＡに流入する高圧流体が高圧細管＃ａ→弁室９９→ポートｄ→細管＃ｄ→ポートｐ１２を介して第２作動室３２に導入されるとともに、第１作動室３１の高圧流体がポートｐ１１→細管＃ｂ→ポートｂ→凹部９４ａ→ポートｃ→細管＃ｃ→ポート（吸入側低圧ポート）ｐＤへと流れて排出される。
【００８３】
それに対し、電磁コイル９１への通電をＯＮにすると、図２及び図７（Ｂ）に示される如くに、プランジャ９７は吸引子９５の吸引力により、その左端が吸引子９５に接当する位置まで（圧縮コイルばね９６の付勢力に抗して）引き寄せられる。このときには、弁体９４がポートｃとポートｄ上に位置し、その凹部９４ａによりポートｃとポートｄが連通するとともに、ポートｂと弁室９９とが連通するので、ポート（吐出側高圧ポート）ｐＡに流入する高圧流体が高圧細管＃ａ→弁室９９→ポートｂ→細管＃ｂ→ポートｐ１１を介して第１作動室３１に導入されるとともに、第２作動室３２の高圧流体がポートｐ１２→細管＃ｄ→ポートｄ→凹部９４ａ→ポートｃ→細管＃ｃ→ポート（吸入側低圧ポート）ｐＤへと流れて排出される。
【００８４】
したがって、電磁コイル９１への通電をＯＦＦにすると、六方弁本体１０の主弁体１５が暖房位置（第２連通状態）から冷房位置（第１連通状態）に移行し、前記した如くの流路切換が行われる一方、電磁コイル９１への通電をＯＮにすると、六方弁本体１０の主弁体１５が冷房位置（第１連通状態）から暖房位置（第２連通状態）に移行し、前記した如くの流路切換が行われる。
【００８５】
このように、本実施形態の六方切換弁１では、電磁式四方パイロット弁９０への通電をＯＮ／ＯＦＦで切り換えることで、六方切換弁１内を流通する高圧流体（高圧部分であるポートｐＡを流れる流体）と低圧流体（低圧部分であるポートｐＤを流れる流体）との差圧を利用して六方弁本体１０を構成する主弁体１５を主弁室１２内で移動させることにより、主弁ハウジング１１に合計で６個設けられたポート間の連通状態が切り換えられ、ヒートポンプ式冷暖房システムにおいて、暖房運転から冷房運転への切り換え、及び、冷房運転から暖房運転への切り換えを行うことができる。
【００８６】
［六方切換弁１の作用効果］
以上の説明から理解されるように、本実施形態の六方切換弁１においては、第１及び第２ピストン２１、２２の往復移動に伴って主弁室１２内で主弁体１５を移動させるための連結体２５が、第１及び第２主弁座１３、１４の弁シート面に平行に配置された平板部２５ａを有する一枚の板材からなるとともに、その平板部２５ａは、主弁体１５を嵌合させて支持するとともに、主弁体１５を構成する一対の第１及び第２スライド弁体１５Ａ、１５Ｂにおいて第１及び第２主弁座１３、１４の弁シート面に摺動する環状シール面側に向けて延在する押圧板部（平板部２５ａに一体成形された中央部押圧板部２５ｅＡ、端部押圧板部２５ｅＢ）を介して、主弁体１５を第１及び第２ピストン２１、２２の往復移動に伴って押動するようにされている。そのため、例えば連結体が主弁ハウジングの中心線（軸線）上で主弁座の弁シート面に平行に配置された一枚の板材で作製されている従来の流路切換弁と比べて、連結体２５に若干の改良を加えるだけの簡単な構成で流路切換を行う際に主弁体１５のシール面（２つの第１及び第２スライド弁体１５Ａ、１５Ｂの両方の環状シール面）に近い位置を押すことができ、スティックスリップ現象の発生を抑えることができ、もって、異音の発生や主弁体１５のシール面の摩耗を効果的に抑えることができる。
【００８７】
＜第２実施形態＞
図８は、本発明に係る流路切換弁としての六方切換弁の第２実施形態を示す縦断面図である。また、図９は、図８のＶ−Ｖ矢視線に従う断面図である。
【００８８】
図示第２実施形態の六方切換弁２は、前述した第１実施形態の六方切換弁１に対し、主にピストンと主弁体との接続部分の構成が相違しており、その他の構成は略同じである。よって、六方切換弁１の各部に対応する部分には共通の符号を付して重複説明を省略し、以下においては、相違点を重点的に説明する。
【００８９】
図示実施形態の六方切換弁２は、第１実施形態の六方切換弁１と同様、例えばヒートポンプ式冷暖房システムにおける六方切換弁として用いられるスライド式のものであるが、本例では、上記第１実施形態の六方切換弁１と比べて、連結体２５（の平板部２５ａ）に形成された矩形開口２５ｄの端縁部における中央部押圧板部２５ｅＡ及び端部押圧板部２５ｅＢが省略されている（図１０及び図１１を併せて参照）。
【００９０】
一方で、本例では、前記主弁体１５を構成する第１スライド弁体１５Ａ及び第２スライド弁体１５Ｂの上下面（に形成された窪み面１５ｅＡ、１５ｅＢ）に、例えばプレス成形等で作製された概略矩形状、かつ、前記主弁体１５（の第１及び第２スライド弁体１５Ａ、１５Ｂ）より剛性の高い金属材料等（例えば、連結体２５と同じ材料）で形成された板材（平板）からなる押圧板（押圧板部）２０が、圧入、溶着、インサート成形等で固定配置されている。
【００９１】
前記押圧板２０は、本例では、前記主弁体１５を構成する第１スライド弁体１５Ａ及び第２スライド弁体１５Ｂの上下面に形成された窪み面１５ｅＡ、１５ｅＢのほぼ全面を覆う外形を有し（特に、図９参照）、その窪み面１５ｅＡ、１５ｅＢに沿うように、かつ、主弁ハウジング１１の軸線（中心線）Ｏに垂直となるように配在されている。この押圧板２０は、右側（言い換えれば、第２スライド弁体１５Ｂにおいて第２主弁座１４の弁シート面に摺動する環状シール面側）に向けて延在する右端部が第２スライド弁体１５Ｂの上面又は下面（に形成された窪み面１５ｅＢ）に固定され、左側（言い換えれば、第１スライド弁体１５Ａにおいて第１主弁座１３の弁シート面に摺動する環状シール面側）に向けて延在する左端部が第１スライド弁体１５Ａの上面又は下面（に形成された窪み面１５ｅＡ）まで（固定されずに摺動自在に）延びており、第１及び第２スライド弁体１５Ａ、１５Ｂの左右の動き（相対的な移動）を拘束しないようになっている。この押圧板２０の左部は、第１スライド弁体１５Ａの窪み面１５ｅＡに当接（押圧）せしめられるようになっている。また、この押圧板２０の中央部から右側の部分は、第２スライド弁体１５Ｂの窪み面１５ｅＢに当接（押圧）せしめられるようになっている。
【００９２】
したがって、本例では、連結体２５に嵌合されて支持された主弁体１５の第１スライド弁体１５Ａと第２スライド弁体１５Ｂは、第１及び第２ピストン２１、２２の往復移動に伴って前記連結体２５の矩形開口２５ｄ部分に押動されて冷房位置（上端位置）と暖房位置（下端位置）との間を行き来するようにされている。本例では、前記連結体２５の矩形開口２５ｄ部分が、前記主弁体１５の外周面に固定された押圧板２０（の略中央部分）に当接することによって、当該主弁体１５の第１スライド弁体１５Ａと第２スライド弁体１５Ｂを押動するようになっている。
【００９３】
なお、本例では、前記押圧板２０は、例えば第２スライド弁体１５Ｂ側の上面又は下面の窪み面１５ｅＢに設けられた（前後で２個の）位置決め用突起１５ｆに、当該押圧板２０（の右端部付近）に設けられた（前後で２個の）嵌合用丸穴２０ｆを嵌め込んで固定されている（特に、図９及び図１０参照）。
【００９４】
このように、本第２実施形態の六方切換弁２においても、第１及び第２ピストン２１、２２の往復移動に伴って主弁室１２内で主弁体１５を移動させるための連結体２５が、第１及び第２主弁座１３、１４の弁シート面に平行に配置された平板部２５ａを有する一枚の板材からなるとともに、その平板部２５ａは、主弁体１５を嵌合させて支持するとともに、主弁体１５を構成する一対の第１及び第２スライド弁体１５Ａ、１５Ｂにおいて第１及び第２主弁座１３、１４の弁シート面に摺動する環状シール面側に向けて延在する押圧板部（主弁体１５の外周面に固定された押圧板２０）を介して、主弁体１５を第１及び第２ピストン２１、２２の往復移動に伴って押動するようにされている。そのため、例えば連結体が主弁ハウジングの中心線（軸線）上で主弁座の弁シート面に平行に配置された一枚の板材で作製されている従来の流路切換弁と比べて、主弁体１５に若干の改良を加えるだけの簡単な構成で流路切換を行う際に主弁体１５のシール面（２つの第１及び第２スライド弁体１５Ａ、１５Ｂの両方の環状シール面）に近い位置を押すことができ、スティックスリップ現象の発生を抑えることができ、もって、異音の発生や主弁体１５のシール面の摩耗を効果的に抑えることができる。
【００９５】
また、本第２実施形態では、押圧板２０を使用することで、部品点数は増加するものの、主弁体１５（の第１及び第２スライド弁体１５Ａ、１５Ｂ）を押す面積（押圧面積）が大きく取れるため、主弁体１５（の第１及び第２スライド弁体１５Ａ、１５Ｂ）にかかる応力を更に低減することができる。
【００９６】
＜第３実施形態＞
図１２は、本発明に係る流路切換弁としての六方切換弁の第３実施形態を示す縦断面図である。また、図１３は、図１２のＸ−Ｘ矢視線に従う断面図である。
【００９７】
図示第３実施形態の六方切換弁３は、前述した第２実施形態の六方切換弁２に対し、主に主弁ハウジング、主弁体、連結体等の構成が若干相違しており、その他の構成は略同じである。よって、六方切換弁２の各部に対応する部分には共通の符号を付して重複説明を省略し、以下においては、相違点を重点的に説明する。
【００９８】
図示実施形態の六方切換弁３は、第２実施形態の六方切換弁２と同様、例えばヒートポンプ式冷暖房システムにおける六方切換弁として用いられるスライド式のものであるが、上記第２実施形態の六方切換弁２と比べて、小型化・軽量化されている。
【００９９】
すなわち、本例では、主弁ハウジング１１における胴体部１１ｃが、第１及び第２ピストン部１１ａ、１１ｂと同径に形成され、第１及び第２ピストン部１１ａ、１１ｂと胴体部１１ｃとが一体に（一部品として）構成されている。
【０１００】
また、主弁体１５（特に、その高圧側の第１スライド弁体１５Ａ）が比較的肉薄に（詳しくは、左右方向の厚さが比較的薄く）形成されており、第１スライド弁体１５Ａの上下面の窪み面１５ｅＡ、第１スライド弁体１５Ａにおける連通孔１６ａが省略されている。なお、図１２に図示されていないが、本例においても、第１スライド弁体１５Ａと第２スライド弁体１５Ｂとの間でそれらを相互に逆方向に付勢する圧縮コイルばねが４つ配置されている。
【０１０１】
圧力室１７（の高圧冷媒）から受ける圧力によって、第２スライド弁体１５Ｂの右面（の環状シール面）が第２主弁座１４の弁シート面に押し付けられるとともに、圧力室１７（の高圧冷媒）から受ける受圧荷重と第１Ｕターン通路１６Ａを流れる冷媒（高圧冷媒）から受ける受圧荷重との差によって、第１スライド弁体１５Ａの左面（の環状シール面）が第１主弁座１３の弁シート面に押し付けられるようになっている。
【０１０２】
また、前記第１スライド弁体１５Ａ側の窪み面１５ｅＡが省略されていることで、本例では、押圧板２０は、前記主弁体１５を構成する第２スライド弁体１５Ｂの上下面に形成された窪み面１５ｅＢのほぼ全面を覆う外形を有し（特に、図１３参照）、その窪み面１５ｅＢに沿うように配在されており、その窪み面１５ｅＢのみに当接（押圧）せしめられるようになっている。
【０１０３】
したがって、本例では、連結体２５の矩形開口２５ｄ部分が、主弁体１５の外周面に固定された押圧板２０（の略中央部分）に当接することによって、当該主弁体１５の第１スライド弁体１５Ａと第２スライド弁体１５Ｂを押動するが、第１スライド弁体１５Ａは第２スライド弁体１５Ｂを介して（当該第２スライド弁体１５Ｂと一体的に）押動されるようになっている。
【０１０４】
なお、本例では、前記押圧板２０は、例えば第２スライド弁体１５Ｂ側の上面又は下面の窪み面１５ｅＢに設けられた位置決め用凸部１５ｇに、当該押圧板２０（の外縁）に設けられた嵌合用切欠き２０ｇを嵌め込んで固定されている（特に、図１３及び図１４参照）。
【０１０５】
さらに、本例では、上記第２実施形態の六方切換弁２と比べて、連結体２５の上下長（軸線Ｏ方向の長さ）が短くされ、連結体２５（の平板部２５ａ）に形成された矩形開口２５ｄと、その上下に形成された円形開口２５ｃとが連なるように形成されている（図１４及び図１５を併せて参照）。そのため、本例では、前記連結体２５の矩形開口２５ｄ部分のうち前後の部分のみが、前記主弁体１５の外周面に固定された押圧板２０（の略中央部分）に当接することによって、当該主弁体１５の第１スライド弁体１５Ａと第２スライド弁体１５Ｂを押動するようになっている。
【０１０６】
このように、本第３実施形態における六方切換弁３においても、第１及び第２ピストン２１、２２の往復移動に伴って主弁室１２内で主弁体１５を移動させるための連結体２５が、第１及び第２主弁座１３、１４の弁シート面に平行に配置された平板部２５ａを有する一枚の板材からなるとともに、その平板部２５ａは、主弁体１５を嵌合させて支持するとともに、主弁体１５を構成する一対の第１及び第２スライド弁体１５Ａ、１５Ｂにおいて第１及び第２主弁座１３、１４の弁シート面に摺動する環状シール面側に向けて延在する押圧板部（主弁体１５の外周面に固定された押圧板２０）を介して、主弁体１５を第１及び第２ピストン２１、２２の往復移動に伴って押動するようにされているので、前述した第２実施形態における六方切換弁２と同様の作用効果が得られることは当然である。
【０１０７】
なお、上記第１〜第３実施形態の六方切換弁１〜３では、ヒートポンプ式冷暖房システムにおける六方切換弁を例示して説明したが、主弁ハウジング１１（の主弁室１２）に設けられるポートの数や位置、主弁ハウジング１１の構成や形状、主弁ハウジング１１（の主弁室１２）内に配在される主弁体１５の構成や形状等は、図示例に限られないことは勿論である。
【０１０８】
また、上記第１〜第３実施形態の六方切換弁１〜３では、四方パイロット弁９０を用いて主弁室１２内で主弁体１５を駆動する構成について説明したが、例えば四方パイロット弁９０に代えてモータを用いて主弁室１２内で主弁体１５を駆動する構成でも良い。
【０１０９】
また、本第１〜第３実施形態の六方切換弁１〜３は、ヒートポンプ式冷暖房システムのみならず、他のシステム、装置、機器類にも組み込めることは勿論である。
【符号の説明】
【０１１０】
１    六方切換弁（流路切換弁）（第１実施形態）
２    六方切換弁（流路切換弁）（第２実施形態）
３    六方切換弁（流路切換弁）（第３実施形態）
１０    六方弁本体
１１    主弁ハウジング
１１Ａ  上端側蓋部材
１１Ｂ  下端側蓋部材
１１ａ  第１ピストン部
１１ｂ  第２ピストン部
１１ｃ  胴体部
１２    主弁室
１３    第１主弁座（弁シート）
１４    第２主弁座（弁シート）
１５    主弁体
１５Ａ  第１スライド弁体
１５Ｂ  第２スライド弁体
１５ａ  第１スライド弁体の嵌合凸部
１５ｂ  第２スライド弁体の筒状部
１５ｅＡ  第１スライド弁体の上下の窪み面
１５ｅＢ  第２スライド弁体の上下の窪み面
１５ｆ  位置決め用突起（第２実施形態）
１５ｇ  位置決め用凸部（第３実施形態）
１６Ａ  第１Ｕターン通路（連通路）
１６Ｂ  第２Ｕターン通路（連通路）
１６ａ  連通孔
１７    圧力室
１８    Ｏリング
１９    圧縮コイルばね
２０    押圧板（押圧板部）（第２、第３実施形態）
２０ｆ  嵌合用丸穴（第２実施形態）
２０ｇ  嵌合用切欠き（第３実施形態）
２１    第１ピストン
２２    第２ピストン
２５    連結体
２５ａ  平板部
２５ｂ  取付脚部
２５ｃ  円形開口
２５ｄ  矩形開口
２５ｅＡ  中央部押圧板部（第１実施形態）
２５ｅＢ  端部押圧板部（第１実施形態）
３１    第１作動室
３２    第２作動室
９０    四方パイロット弁
ｐＡ、ｐＢ、ｐＣ、ｐＤ、ｐＥ、ｐＦ  ポート
【図１】
2020101256.tif 000003
【図２】
2020101256.tif 000004
【図３】
2020101256.tif 000005
【図４】
2020101256.tif 000006
【図５】
2020101256.tif 000007
【図６】
2020101256.tif 000008
【図７】
2020101256.tif 000009
【図８】
2020101256.tif 000010
【図９】
2020101256.tif 000011
【図１０】
2020101256.tif 000012
【図１１】
2020101256.tif 000013
【図１２】
2020101256.tif 000014
【図１３】
2020101256.tif 000015
【図１４】
2020101256.tif 000016
【図１５】
2020101256.tif 000017